(57)【要約】【課題】  潤滑剤供給部材を形成するフェルト材に潤滑剤を含浸しやすくすると共に、潤滑剤供給部材から案内レールに十分な潤滑剤を供給する。【解決手段】  スライダ２の軸方向の端部に取り付けられ、潤滑剤を含有する多孔質のフェルト材１５ａから形成されると共に案内レール１に摺接して潤滑剤を供給する潤滑剤供給部材１５を備え、該潤滑剤供給部材１５がシート状のフェルト材１５ａを所定の形状に打ち抜いて形成される直動案内軸受装置であって、潤滑剤供給部材１５の案内レール１への摺接部１７を前記内ち抜き時の切断面３１とする。【選択図】      図２
2005337451.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、潤滑剤を含有する多孔質のフェルト材から形成されると共に前記案内レールに摺接して潤滑剤を供給する潤滑剤供給部材とを備え、該潤滑剤供給部材がシート状のフェルト材を所定の形状に打ち抜いて形成される直動案内軸受装置であって、
前記潤滑剤供給部材の前記案内レールへの摺接部を前記内ち抜き時の切断面としたことを特徴とする直動案内軸受装置。
【請求項２】
前記切断面から前記フェルト材に潤滑剤を含ませるようにしたことを特徴とする請求項１に記載した直動案内軸受装置。
【請求項３】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、潤滑剤を含有する多孔質のフェルト材から形成されると共に前記案内レールに摺接して潤滑剤を供給する潤滑剤供給部材とを備え、該潤滑剤供給部材がシート状のフェルト材を所定の形状に打ち抜いて形成されると共に、前記フェルト材がニードルパンチング加工を施してフェルト化された直動案内軸受装置であって、
前記潤滑剤供給部材の前記案内レールへの摺接部をニードルパンチング加工を施していない面としたことを特徴とする直動案内軸受装置。
【請求項４】
前記ニードルパンチング加工を施していない面から前記フェルト材に潤滑剤を含ませるようにしたことを特徴とする請求項３に記載した直動案内軸受装置。
【請求項５】
前記打ち抜き時の切断面を前記ニードルパンチング加工を施していない面としたことを特徴とする請求項３又は４に記載した直動案内軸受装置。
【請求項６】
前記潤滑剤供給部材に潤滑剤保持部として機能する肉盗み部を設けたことを特徴とする請求項１〜５のいずれか一項に記載の直動案内軸受装置。
【発明の詳細な説明】
【技術分野】
【０００１】
本発明は、例えば工作機械や搬送装置等に用いられる直動案内軸受装置に関する。
【背景技術】
【０００２】
従来の直動案内軸受装置としては、例えば図４に示すものが知られている。
この直動案内軸受装置は、軸方向に延びる案内レール１と、該案内レール１上に軸方向に相対移動可能に跨架されたスライダ２とを備える。
案内レール１の両側面にはそれぞれ軸方向に延びる転動体転動溝３が形成されており、スライダ２のスライダ本体２Ａには、その両袖部４の内側面に、それぞれ転動体転動溝３に対向する転動体転動溝７が形成されている。そして、これらの向き合った両転動体転動溝３，７の間には転動体の一例としての多数のボールＢが転動自在に装填され、これらのボールＢの転動を介してスライダ２が案内レール１上を軸方向に沿って相対移動できるようになっている。
【０００３】
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
このため、スライダ本体２Ａの袖部４内に軸方向に貫通する転動体通路８を形成すると共に、スライダ本体２Ａの両端にそれぞれ略コ字状のエンドキャップ５を例えばねじ１２等の固定手段を介して固定し、このエンドキャップ５に上記両転動体転動溝３，７間と上記転動体通路８とを連通する半円弧状に湾曲した方向転換路６を形成することにより、転動体無限循環軌道を形成している。なお、図４において、符号１１はエンドキャップ５と共にスライダ本体２Ａの端面にねじ１２等を介して固定されたサイドシール、１０はスライダ本体２Ａの端面に形成されたねじ１２のタップ穴、１３は給脂用ニップル、１４は案内レール１の固定用のボルト挿通穴である。
【０００４】
ところで、低コストで良好な潤滑状態を長期間維持できるようにして給脂間隔を長くすると共に、磨耗や破損等を防して長寿命な直動案内軸受装置とするために、エンドキャップ５とサイドシール１１との間にフェルト状の潤滑剤供給部材を介装したものが提案されている。
潤滑剤供給部材は多孔質のフェルト材に潤滑油やグリース等の潤滑剤を含有させたもので、エンドキャップ５と同様に略コ字状に形成されており、コ字状両端部内側には案内レール１の転動体転動溝３に摺接して潤滑剤を供給する摺接部が突設されている。
【発明の開示】
【発明が解決しようとする課題】
【０００５】
上記従来の直動案内軸受装置においては、潤滑剤供給部材を形成するフェルト材に潤滑剤を含ませる際には、フェルト材に潤滑剤を含浸しやすく、また、低コストで良好な潤滑状態を長期間維持できるようにして給脂間隔を長くすると共に、磨耗や破損等を防して長寿命な直動案内軸受装置とするためには潤滑剤供給部材から案内レールに十分な潤滑剤が供給されることが望まれる。
本発明はこのような要請に応えてなされたものであり、潤滑剤供給部材を形成するフェルト材に潤滑剤を含浸しやすくすると共に、潤滑剤供給部材から案内レールに十分な潤滑剤を供給することができる直動案内軸受装置を提供することを目的とする。
【課題を解決するための手段】
【０００６】
上記目的を達成するために、請求項１に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、潤滑剤を含有する多孔質のフェルト材から形成されると共に前記案内レールに摺接して潤滑剤を供給する潤滑剤供給部材とを備え、該潤滑剤供給部材がシート状のフェルト材を所定の形状に打ち抜いて形成される直動案内軸受装置であって、
前記潤滑剤供給部材の前記案内レールへの摺接部を前記内ち抜き時の切断面としたことを特徴とする。
【０００７】
請求項２に係る発明は、請求項１において、前記切断面から前記フェルト材に潤滑剤を含ませるようにしたことを特徴とする。
請求項３に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダの軸方向の端部に取り付けられ、潤滑剤を含有する多孔質のフェルト材から形成されると共に前記案内レールに摺接して潤滑剤を供給する潤滑剤供給部材とを備え、該潤滑剤供給部材がシート状のフェルト材を所定の形状に打ち抜いて形成されると共に、前記フェルト材がニードルパンチング加工を施してフェルト化された直動案内軸受装置であって、
前記潤滑剤供給部材の前記案内レールへの摺接部をニードルパンチング加工を施していない面としたことを特徴とする。
【０００８】
請求項４に係る発明は、請求項３において、前記ニードルパンチング加工を施していない面から前記フェルト材に潤滑剤を含ませるようにしたことを特徴とする。
請求項５に係る発明は、請求項３又は４において、前記打ち抜き時の切断面を前記ニードルパンチング加工を施していない面としたことを特徴とする請求項３又は４に記載した直動案内軸受装置。
請求項６に係る発明は、請求項１〜５のいずれか一項において、前記潤滑剤供給部材に潤滑剤保持部として機能する肉盗み部を設けたことを特徴とする。
【発明の効果】
【０００９】
本発明によれば、潤滑剤供給部材がシート状のフェルト材を所定の形状に打ち抜いて形成される場合に、潤滑剤供給部材の案内レールへの摺接部を前記内ち抜き時の切断面とすることで、前記摺接部から潤滑剤を放出しやすくなり、該摺動部から案内レールに豊富な潤滑剤を供給することができる。また、前記切断面からフェルト材に潤滑剤を含ませることで、該潤滑剤を含浸しやすくすることができる。
【００１０】
また、フェルト材がニードルパンチング加工を施してフェルト化される場合には、潤滑剤供給部材の案内レールへの摺接部をニードルパンチング加工を施していない面とすることで、前記摺接部から潤滑剤を放出しやすくなり、該摺動部から案内レールに豊富な潤滑剤を供給することができる。また、ニードルパンチング加工を施していない面からフェルト材に潤滑剤を含ませることで、該潤滑剤を含浸しやすくすることができる。
【００１１】
更に、ニードルパンチング加工している面を前記打ち抜き時の切断面とした場合、絡みあったフェルトが散けやすくなるため、ニードルパンチング加工を施していない面を前記切断面とすることで、フェルトの損傷を防止することができる。
更に、潤滑剤供給部材に潤滑剤保持部として機能する肉盗み部を設けることで、フェルト材に潤滑剤をより含浸しやすくすることができると共に、潤滑剤保持量が多くなって良好な潤滑状態をより長期間に渡って保つことができる。
【発明を実施するための最良の形態】
【００１２】
以下、本発明の実施の形態の一例を図を参照して説明する。図１は本発明の実施の形態の一例である直動案内軸受装置を説明するための要部斜視図、図２は潤滑剤供給部材を示す図、図３はニードルパンチング加工の方向を示す図である。なお、この実施の形態では、既に図４で説明した従来の直動案内軸受装置と重複する部分については、各図に同一符号を付してその説明を省略する。
【００１３】
本発明の実施の形態の一例である直動案内軸受装置は、図１に示すように、スライダ２のエンドキャップ５とサイドシール１１との間に、潤滑油又はグリース等の潤滑剤を含有する多孔質のフェルト材１５ａから形成されると共に案内レール１の転動体転動溝３に摺接して潤滑剤を供給する潤滑剤供給部材１５が潤滑ユニットケース２０内に収容された状態でスライダ２の軸方向に複数枚介装されている。
【００１４】
潤滑剤供給部材１５は、図２に示すように、ニードルパンチング加工（図３参照）を施してフェルト化されたシート状のフェルト材１５ａをエンドキャップ５と同様の略コ字状に打ち抜いて形成されており、コ字状両端部外側にはねじ１２の挿通用の固定リング（図示せず）が嵌め込まれる切欠き１８が形成され、コ字状両端部内側には案内レール１の転動体転動溝３に摺接して潤滑剤を供給する摺接部１７が突設されている。
【００１５】
また、潤滑剤供給部材１５の案内レール１の上方に位置する上端部略中央には例えばリング状等の押圧部材（図示せず）が嵌め込まれる切欠き１９が形成されており、この切欠き１９に押圧部材を嵌め込んで潤滑剤供給部材１５の上端部をスライダ２の幅方向外方に押圧変形させることで、該潤滑剤供給部材１５の下端側に位置するコ字状両端部をスライダ２の幅方向内方に変形させて前記摺接部１７を案内レール１の転動体転動溝３に押圧するようにしている。
【００１６】
ここで、この実施の形態では、フェルト素材の性質及びニードルパンチング加工によるフェルト素材の異方性を利用して潤滑剤の供給量を調整すべく、潤滑剤供給部材１５の案内レール１への摺接部１７をフェルト材１５ａにニードルパンチング加工を施していない面３０とすると共に、ニードルパンチング加工を施していない面３０を前記打ち抜き時の切断面３１とし、更に、ニードルパンチング加工を施していない面３０からフェルト材１５ａに潤滑剤を含ませるようにしている。また、潤滑剤供給部材１５には、潤滑剤保持部として機能する肉盗み部４０を設けている。
【００１７】
このようにこの実施の形態では、潤滑剤供給部材１５の案内レール１への摺接部１７をニードルパンチング加工を施していない面３０としているので、前記摺接部１７から潤滑剤を放出しやすくなり、該摺動部１７から案内レール１に豊富な潤滑剤を供給することができ、また、ニードルパンチング加工を施していない面３０からフェルト材１５ａに潤滑剤を含ませるようにしているので、該潤滑剤をフェルト材１５ａに含浸しやすくすることができる。
【００１８】
更に、ニードルパンチング加工を施した面を前記打ち抜き時の切断面３１とした場合、絡みあったフェルトが散けやすくなるが、この実施の形態では、ニードルパンチング加工を施していない面３０を前記打ち抜き時の切断面３１としているので、フェルトの損傷を防止することができる。
更に、潤滑剤供給部材１５に潤滑剤保持部として機能する肉盗み部４０を設けているので、フェルト材１５ａに潤滑剤をより含浸しやすくすることができると共に、潤滑剤保持量が多くなって良好な潤滑状態をより長期間に渡って保つことができる。
【００１９】
なお、本発明は上記実施の形態に限定されるものではなく、本発明の要旨を逸脱しない範囲において適宜変更可能である。
例えば上記実施の形態では、潤滑剤供給部材１５の形成にニードルパンチング加工工程を有する場合を例に採ったが、ニードルパンチング加工工程を行わない場合には、潤滑剤供給部材１５の案内レール１への摺接部１７を前記内ち抜き時の切断面３１とすることで、摺接部１７から潤滑剤を放出しやすくなり、該摺動部１７から案内レール１に豊富な潤滑剤を供給することができ、また、前記切断面３１からフェルト材１５ａに潤滑剤を含ませることで、該潤滑剤を含浸しやすくすることができる。
【図面の簡単な説明】
【００２０】
【図１】本発明の実施の形態の一例である直動案内軸受装置を説明するための要部斜視図である。
【図２】潤滑剤供給部材を示す図である。
【図３】ニードルパンチング加工の方向を示す図である。
【図４】従来の直動案内軸受装置の一例を説明するための一部を破断した斜視図である。
【符号の説明】
【００２１】
１  案内レール
２  スライダ
３  転動体転動溝（案内レール側）
７  転動体転動溝（スライダ側）
Ｂ  ボール（転動体）
１５  潤滑剤供給部材
１５ａ  フェルト材
１７  摺接部
３０  ニードルパンチング加工を施していない面
３１  切断面
４０  肉盗み部
【図１】
2005337451.tif 000003
【図２】
2005337451.tif 000004
【図３】
2005337451.tif 000005
【図４】
2005337451.tif 000006